(57)【要約】【課題】引張力とせん断力とを独立した接合金物で主に負担させて各接合金物の耐力を効率良く設計し、木質系壁パネルを耐震壁とした耐震性の高い木造建物を効率良く構築する。【解決手段】ＣＬＴ壁パネル下端部の左右両側に設けられる第１接合金物１と、第１接合金物１の間に設けられる第２接合金物２と、ＣＬＴ壁パネル上端部の左右両側に設けられる第３接合金物３と、第３接合金物３の間に設けられる第４接合金物４とを備え、第１接合金物１の棒状部および第３接合金物３にはその長手方向にドリフトピン５３が挿入される複数のピン挿通孔が形成され、ＣＬＴ壁パネルに作用する引張力を主に負担する一方、第２接合金物２および第３接合金物３のせん断力受け板部にはその長手方向に任意の間隔でドリフトピン５３が挿入される上下方向に長い複数のピン挿通長孔が形成されており、ＣＬＴ壁パネルに作用するせん断力を主に負担する。【選択図】図１
2019119990.tif 000002
【特許請求の範囲】
【請求項１】
木質系壁パネル下端部の左右両側にそれぞれ設けられる１または複数の第１接合金物と、
前記木質系壁パネル下端部で左右両側の前記第１接合金物の間に設けられる１または複数の第２接合金物と、
木質系壁パネル上端部の左右両側にそれぞれ設けられる１または複数の第３接合金物と、
前記木質系壁パネル上端部で左右両側の前記第３接合金物の間に設けられる１または複数の第４接合金物とを備え、
前記第１接合金物は、
雄ネジ部が挿通される雄ネジ部挿通孔が形成された底面板と、前記底面板から起立した起立板と、前記起立板の上部に接合され、前記底面板に対向するように設けられた上面板とを有するボックス部と、前記ボックス部の上面板から立設して前記木質系壁パネルの中に挿入され、上下方向に任意の間隔で前記木質系壁パネルの厚さ方向に貫通する固定ピンが挿入されるピン挿通孔が設けられた棒状部とを有し、
前記第２接合金物は、
雄ネジ部が挿通される雄ネジ部挿通孔が設けられた固定板部と、前記固定板部における前記木質系壁パネルの厚さ方向の中央で前記木質系壁パネルと平行に立設して前記木質系壁パネルの中に挿入され、前記木質系壁パネルの水平方向と平行に任意の間隔で、かつ、上下方向に長い長孔形状で前記木質系壁パネルの厚さ方向に貫通する固定ピンが挿入される複数のピン挿通長孔が形成されると共に、前記木質系壁パネルの厚さ方向に貫通した位置決めピンが嵌る位置決めピン嵌合部が形成されたせん断力受け板部とを有し、
前記第３接合金物は、
前記木質系壁パネル上端部の中に挿入され、上下方向に任意の間隔で前記木質系壁パネルの厚さ方向に貫通する固定ピンが挿入されるピン挿通孔が設けられる一方、上端部にはネジ棒の雄ネジ部が螺合する雌ネジ部が設けられており、
前記第４接合金物は、
ビスや釘等の固着具が挿入される小孔が設けられた固定板部と、前記固定板部における前記木質系壁パネルの厚さ方向の中央で前記木質系壁パネルと平行に設けられて前記木質系壁パネルの中に挿入され、前記木質系壁パネルの水平方向と平行に任意の間隔で、かつ、上下方向に長い長孔形状で前記木質系壁パネルの厚さ方向に貫通する固定ピンが挿入される複数のピン挿通長孔が形成されると共に、前記木質系壁パネルの厚さ方向に貫通した位置決めピンが嵌る位置決めピン嵌合部が形成されたせん断力受け板部と、前記固定板部における前記せん断力受け板部の反対側に立設して、前記せん断力受け板部を介した前記木質系壁パネルからのせん断力を伝達するせん断力伝達部とを有することを特徴とする木質系壁パネルの接合金物。
【請求項２】
請求項１記載の木質系壁パネル用接合金物において、
前記第１接合金物は、
前記棒状部の下端部に雌ネジ部が形成され、前記上面板には連結ボルトの雄ネジ部が挿通される雄ネジ部挿入孔が形成されており、
前記棒状部は、前記連結ボルトの雄ネジ部が前記棒状部下端部の雌ネジ部に螺合して前記上面板に設けられることを特徴とする木質系壁パネル用接合金物。
【請求項３】
請求項２記載の木質系壁パネル用接合金物において、
前記第３接合金物は、
前記第１接合金物の前記棒状部を上下逆さまにして使用し、前記棒状部の前記雌ネジ部には前記ネジ棒の雄ネジ部が螺合するように構成したことを特徴とする木質系壁パネル用接合金物。
【請求項４】
請求項１〜請求項３のいずれか一の請求項に記載の木質系壁パネル用接合金物において、
前記第４接合金物の前記固定板部は、
複数の円盤状固定板部が前記木質系壁パネルの水平方向と平行に任意の間隔で並べて設けられており、前記複数の円盤状固定板部には、それぞれ、前記小孔が設けられていると共に、前記せん断力伝達部とが設けられていることを特徴とする木質系壁パネルの接合金物。
【請求項５】
請求項１〜請求項４のいずれか一の請求項に記載の木質系壁パネル用接合金物において、
前記第１接合金物の棒状部と前記第３接合金物には、
前記ピン挿通孔とはズレた位置であって前記ピン挿通孔とは直交する方向に、上下方向に長孔形状のボルト挿通長孔が形成されていることを特徴とする木質系壁パネル用接合金物。
【請求項６】
請求項１〜請求項５のいずれか一の請求項に記載の木質系壁パネル用接合金物において、
２階以上に前記木質系壁パネルを構築する場合、前記第２接合金物の代わりに上下反転させた前記第４接合金物を使用することを特徴とする木質系壁パネルの接合金物。
【請求項７】
請求項１〜請求項６のいずれか一の請求項に記載の木質系壁パネル用接合金物を構成する１または複数の前記第１接合金物の底面板の雄ネジ部挿通孔に基礎から延びるアンカーボルト先端の雄ネジ部が挿入されて基礎に固定される一方、前記第１接合金物の棒状部が前記木質系壁パネル下端部の左右両側で前記木質系壁パネルの中に挿入されると共に、上下方向に任意の間隔で前記木質系壁パネルの厚さ方向に貫通する前記固定ピンが前記第１接合金物の棒状部のピン挿通孔を貫通することによって前記木質系壁パネル下端部の左右両側が基礎に固定され、
前記木質系壁パネル用接合金物を構成する１または複数の前記第２接合金物の前記固定板部の雄ネジ部挿通孔に基礎から延びるアンカーボルト先端の雄ネジ部が挿入されて基礎に固定される一方、前記第２接合金物のせん断力受け板部が前記木質系壁パネルの中に挿入され、前記木質系壁パネルの厚さ方向に貫通した位置決めピンが前記第２接合金物のせん断力受け板部に嵌合すると共に、前記木質系壁パネルの厚さ方向に貫通する固定ピンが基礎または床の長手方向に任意の間隔で、かつ、上下方向に長い長孔形状で前記第２接合金物のせん断力受け板部の複数のピン挿通長孔を貫通することによって前記木質系壁パネル下端部の左右両側の中間が基礎に固定され、
前記木質系壁パネル用接合金物を構成する１または複数の前記第３接合金物が前記木質系壁パネル上端部の中に挿入されると共に、上下方向に任意の間隔で前記木質系壁パネルの厚さ方向に貫通する前記固定ピンが前記第３接合金物のピン挿通孔を貫通することによって前記木質系壁パネル上端部に前記第３接合金物が固定される一方、前記第３接合金物上端部の前記雌ネジ部には天井パネルまたは上階の床パネルを貫通するネジ棒の雄ネジ部が螺合しており、
前記木質系壁パネル用接合金物を構成する１または複数の前記第４接合金物の前記固定板部の前記小孔には前記固着具が挿入されて前記天井パネルまたは上階の床パネルに前記固定板部が固定される一方、前記第４接合金物の前記せん断力受け板部が前記木質系壁パネルの中に挿入され、前記木質系壁パネルの厚さ方向に貫通した位置決めピンが前記せん断力受け板部に嵌合すると共に、前記木質系壁パネルの厚さ方向に貫通する固定ピンが前記せん断力受け板部の複数の前記ピン挿通長孔を貫通することによって前記木質系壁パネル上端部に前記第４接合金物が固定される一方、前記第４接合金物の前記せん断力伝達部が前記天井パネルまたは上階の床パネルの中に挿入され、前記せん断力受け板部を介した前記木質系壁パネルからのせん断力を前記天井パネルまたは上階の床パネルに伝達することを特徴とする木質系壁パネル用接合金物を使用した木造建物。
【発明の詳細な説明】
【技術分野】
【０００１】
本発明は、基礎または床の上に主にＣＬＴ（Cross Laminated Timber）壁パネル等の木質系壁パネルを接合するための木質系壁パネル用接合金物、およびその木質系壁パネル用接合金物を用いた木造建物に関する。
【背景技術】
【０００２】
従来より、木質系壁パネルや床パネル等の木質系パネルから構成される「壁式構造」の木造建物の普及が拡大している。
【０００３】
このような木質系パネルの一つとして、近年、ひき板（ラミナ）を繊維方向が直交するように積層接着したＣＬＴ（Cross Laminated Timber）パネルが採用され始めている（例えば、特許文献１参照。）。このようなＣＬＴパネルでは、ひき板（ラミナ）の繊維の向きが交互に直交するので、各ひき板の膨張及び収縮を抑制可能で寸法の安定性が高くなると共に、壁面で建物を支えるので耐震性が高く、高層化も可能であり、またＣＬＴパネルは厚みがあるので断熱性・遮音性・耐火性が高いといった利点がある。
【先行技術文献】
【特許文献】
【０００４】
【特許文献１】特許第６２１４０２２号公報
【発明の概要】
【発明が解決しようとする課題】
【０００５】
しかし、上述の特許文献１に記載の従来技術は、外周に雄ネジ部が形成された金属製の棒状金具と、板状の本体と同本体の基端部又は基端部付近から内方にかけて配設される鋼管からなる棒状金具案内通路と棒状金具案内通路内方側において絞り加工によって小径とされた部分の内部壁面に形成された雄ネジ部と螺合される雌ネジ部とを有する連結金具とによって木質壁パネルを接合する構造であるため、連結金具が木質壁パネルに作用する引張力およびせん断力の双方を負担することになり、効率良く設計できないという問題がある。
【０００６】
特に、連結金具を構成する板状の本体は、棒状金具とは異なり厚さが薄いので、引張力およびせん断力の双方を負担した場合、所定の耐力を確保するためには厚さや面積等を大きく確保する必要が生じ、効率良く設計できない。
【０００７】
そこで、本発明はこのような課題に着目してなされたもので、木質系壁パネルに作用する引張力とせん断力とを独立した接合金物で主に負担させて各接合金物の耐力を効率良く設計し、木質系壁パネルを耐震壁とした耐震性の高い木造建物を効率良く構築することができる木質系壁パネル用接合金物、およびその木質系壁パネル用接合金物を用いた木造建物を提供することを目的とする。
【課題を解決するための手段】
【０００８】
上記課題を解決するため、本発明に係る木質系壁パネル用接合金物では、木質系壁パネル下端部の左右両側にそれぞれ設けられる１または複数の第１接合金物と、前記木質系壁パネル下端部で左右両側の前記第１接合金物の間に設けられる１または複数の第２接合金物と、木質系壁パネル上端部の左右両側にそれぞれ設けられる１または複数の第３接合金物と、前記木質系壁パネル上端部で左右両側の前記第３接合金物の間に設けられる１または複数の第４接合金物とを備え、前記第１接合金物は、雄ネジ部が挿通される雄ネジ部挿通孔が形成された底面板と、前記底面板から起立した起立板と、前記起立板の上部に接合され、前記底面板に対向するように設けられた上面板とを有するボックス部と、前記ボックス部の上面板から立設して前記木質系壁パネルの中に挿入され、上下方向に任意の間隔で前記木質系壁パネルの厚さ方向に貫通する固定ピンが挿入されるピン挿通孔が設けられた棒状部とを有し、前記第２接合金物は、雄ネジ部が挿通される雄ネジ部挿通孔が設けられた固定板部と、前記固定板部における前記木質系壁パネルの厚さ方向の中央で前記木質系壁パネルと平行に立設して前記木質系壁パネルの中に挿入され、前記木質系壁パネルの水平方向と平行に任意の間隔で、かつ、上下方向に長い長孔形状で前記木質系壁パネルの厚さ方向に貫通する固定ピンが挿入される複数のピン挿通長孔が形成されると共に、前記木質系壁パネルの厚さ方向に貫通した位置決めピンが嵌る位置決めピン嵌合部が形成されたせん断力受け板部とを有し、前記第３接合金物は、前記木質系壁パネル上端部の中に挿入され、上下方向に任意の間隔で前記木質系壁パネルの厚さ方向に貫通する固定ピンが挿入されるピン挿通孔が設けられる一方、上端部にはネジ棒の雄ネジ部が螺合する雌ネジ部が設けられており、前記第４接合金物は、ビスや釘等の固着具が挿入される小孔が設けられた固定板部と、前記固定板部における前記木質系壁パネルの厚さ方向の中央で前記木質系壁パネルと平行に設けられて前記木質系壁パネルの中に挿入され、前記木質系壁パネルの水平方向と平行に任意の間隔で、かつ、上下方向に長い長孔形状で前記木質系壁パネルの厚さ方向に貫通する固定ピンが挿入される複数のピン挿通長孔が形成されると共に、前記木質系壁パネルの厚さ方向に貫通した位置決めピンが嵌る位置決めピン嵌合部が形成されたせん断力受け板部と、前記固定板部における前記せん断力受け板部の反対側に立設して、前記せん断力受け板部を介した前記木質系壁パネルからのせん断力を伝達するせん断力伝達部とを有することを特徴とする。
また、本発明に係る木質系壁パネル用接合金物では、前記第１接合金物は、前記棒状部の下端部に雌ネジ部が形成され、前記上面板には連結ボルトの雄ネジ部が挿通される雄ネジ部挿入孔が形成されており、前記棒状部は、前記連結ボルトの雄ネジ部が前記棒状部下端部の雌ネジ部に螺合して前記上面板に設けられることも特徴とする。
また、本発明に係る木質系壁パネル用接合金物では、前記第３接合金物は、前記第１接合金物の前記棒状部を上下逆さまにして使用し、前記棒状部の前記雌ネジ部には前記ネジ棒の雄ネジ部が螺合するように構成したことも特徴とする。
また、本発明に係る木質系壁パネル用接合金物では、前記第４接合金物の前記固定板部は、複数の円盤状固定板部が前記木質系壁パネルの水平方向と平行に任意の間隔で並べて設けられており、前記複数の円盤状固定板部には、それぞれ、前記小孔が設けられていると共に、前記せん断力伝達部とが設けられていることも特徴とする。
また、本発明に係る木質系壁パネル用接合金物では、前記第１接合金物の棒状部と前記第３接合金物には、前記ピン挿通孔とはズレた位置であって前記ピン挿通孔とは直交する方向に、上下方向に長孔形状のボルト挿通長孔が形成されていることも特徴とする。
また、本発明に係る木質系壁パネル用接合金物では、２階以上に前記木質系壁パネルを構築する場合、前記第２接合金物の代わりに上下反転させた前記第４接合金物を使用することも特徴とする。
また、本発明に係る木質系壁パネル用接合金物を使用した木造建物では、前記木質系壁パネル用接合金物を構成する１または複数の前記第１接合金物の底面板の雄ネジ部挿通孔に基礎から延びるアンカーボルト先端の雄ネジ部が挿入されて基礎に固定される一方、前記第１接合金物の棒状部が前記木質系壁パネル下端部の左右両側で前記木質系壁パネルの中に挿入されると共に、上下方向に任意の間隔で前記木質系壁パネルの厚さ方向に貫通する前記固定ピンが前記第１接合金物の棒状部のピン挿通孔を貫通することによって前記木質系壁パネル下端部の左右両側が基礎に固定され、前記木質系壁パネル用接合金物を構成する１または複数の前記第２接合金物の前記固定板部の雄ネジ部挿通孔に基礎から延びるアンカーボルト先端の雄ネジ部が挿入されて基礎に固定される一方、前記第２接合金物のせん断力受け板部が前記木質系壁パネルの中に挿入され、前記木質系壁パネルの厚さ方向に貫通した位置決めピンが前記第２接合金物のせん断力受け板部に嵌合すると共に、前記木質系壁パネルの厚さ方向に貫通する固定ピンが基礎または床の長手方向に任意の間隔で、かつ、上下方向に長い長孔形状で前記第２接合金物のせん断力受け板部の複数のピン挿通長孔を貫通することによって前記木質系壁パネル下端部の左右両側の中間が基礎に固定され、前記木質系壁パネル用接合金物を構成する１または複数の前記第３接合金物が前記木質系壁パネル上端部の中に挿入されると共に、上下方向に任意の間隔で前記木質系壁パネルの厚さ方向に貫通する前記固定ピンが前記第３接合金物のピン挿通孔を貫通することによって前記木質系壁パネル上端部に前記第３接合金物が固定される一方、前記第３接合金物上端部の前記雌ネジ部には天井パネルまたは上階の床パネルを貫通するネジ棒の雄ネジ部が螺合しており、前記木質系壁パネル用接合金物を構成する１または複数の前記第４接合金物の前記固定板部の前記小孔には前記固着具が挿入されて前記天井パネルまたは上階の床パネルに前記固定板部が固定される一方、前記第４接合金物の前記せん断力受け板部が前記木質系壁パネルの中に挿入され、前記木質系壁パネルの厚さ方向に貫通した位置決めピンが前記せん断力受け板部に嵌合すると共に、前記木質系壁パネルの厚さ方向に貫通する固定ピンが前記せん断力受け板部の複数の前記ピン挿通長孔を貫通することによって前記木質系壁パネル上端部に前記第４接合金物が固定される一方、前記第４接合金物の前記せん断力伝達部が前記天井パネルまたは上階の床パネルの中に挿入され、前記せん断力受け板部を介した前記木質系壁パネルからのせん断力を前記天井パネルまたは上階の床パネルに伝達することを特徴とする。
【発明の効果】
【０００９】
本発明に係る木質系壁パネル用接合金物、およびその木質系壁パネル用接合金物を用いた木造建物では、木質系壁パネルの左右両側にそれぞれ設けられた第１接合金物の棒状部および第３接合金物が木質系壁パネルの中に挿入され、それらのピン挿通孔に上下方向に任意の間隔で木質系壁パネルの厚さ方向に貫通する固定ピンが挿入されて木質系壁パネルに固定される一方、木質系壁パネルの左右両側にそれぞれ設けられた第１接合金物の棒状部および第３接合金物の間に設けた第２接合金物および第４接合金物のせん断力受け板部が木質系壁パネルの中に挿入され、それらのピン挿通長孔に木質系壁パネルの厚さ方向に貫通する固定ピンが挿入されて木質系壁パネルに固定される。
そのため、本発明に係る木質系壁パネル用接合金物およびその木質系壁パネル用接合金物を用いた木造建物では、木質系壁パネルの両端に設けた１または複数の第１接合金物および第３接合金物が主に木質系壁パネルに作用する引張力を負担する一方、第１接合金物および第３接合金物の間に設けられた第２接合金物および第４接合金物が主に木質系壁パネルに作用するせん断力を負担する。
その結果、引張力負担用の第１接合金物および第３接合金物と、せん断力負担用の第２接合金物および第４接合金物とが別の接合金物として独立したので、引張力負担用の第１接合金物および第３接合金物と、せん断力負担用の第２接合金物および第４接合金物とを効率良く設計することが可能となり、木質系壁パネルを耐震壁とした耐震性の高い木造建物を効率良く構築することができる。
【図面の簡単な説明】
【００１０】
【図１】本発明に係る実施形態の木質系壁パネル用接合金物の使用例を示す説明図である。
【図２】本発明に係る実施形態の木質系壁パネル用接合金物を構成する第１固定金具の斜視図である。
【図３】本発明に係る実施形態の木質系壁パネル用接合金物を構成する第１固定金具の正面図である。
【図４】本発明に係る実施形態の木質系壁パネル用接合金物を構成する第１固定金具の側面図である。
【図５】図３におけるＡ−Ａ線断面図である。
【図６】（ａ）〜（ｃ）それぞれ、本発明に係る実施形態の木質系壁パネル用接合金物本体を構成する第１固定金具の平面図、底面図、図３におけるＢ−Ｂ線断面図である。
【図７】本発明に係る実施形態の木質系壁パネル用接合金物を構成する第２固定金具の斜視図である。
【図８】（ａ），（ｂ）それぞれ、本発明に係る実施形態の木質系壁パネル用接合金物本体を構成する第２固定金具の平面図、正面図である。
【図９】（ａ），（ｂ）それぞれ、本発明に係る実施形態の木質系壁パネル用接合金物本体を構成する第２固定金具の側面図、底面図である。
【図１０】本発明に係る実施形態の木質系壁パネル用接合金物を構成する第４固定金具の斜視図である。
【図１１】（ａ），（ｂ）それぞれ、本発明に係る実施形態の木質系壁パネル用接合金物本体を構成する第４固定金具の平面図、正面図である。
【図１２】（ａ），（ｂ）それぞれ、本発明に係る実施形態の木質系壁パネル用接合金物本体を構成する第４固定金具の側面図、底面図である。
【図１３】本発明に係る実施形態の木質系壁パネル用接合金物を使用してＣＬＴ壁パネル等を接合して構築した２階建ての木造建物の壁構造の一例を示す正面図である。
【図１４】図１３の正面断面図である。
【図１５】図１４におけるＡ部分の要部拡大断面図である。
【図１６】図１４におけるＢ部分の要部拡大断面図である。
【図１７】図１４におけるＣ部分の要部拡大断面図である。
【図１８】図１４におけるＤ部分の要部拡大断面図である。
【図１９】図１４におけるＥ部分の要部拡大断面図である。
【図２０】図１４におけるＦ部分の要部拡大断面図である。
【図２１】図１４におけるＧ部分の要部拡大断面図である。
【図２２】図１４におけるＨ部分の要部拡大断面図である。
【図２３】図１４におけるＩ部分の要部拡大断面図である。
【図２４】本発明に係る実施形態の木質系壁パネル用接合金物を使用して基礎に１階のＣＬＴ壁パネルを固定する際の状態を示す正面図である。
【図２５】（ａ），（ｂ）それぞれ図２４におけるＣＬＴ壁パネルＰ１下端部の部分拡大図、図２５（ａ）のＪ部分の部分断面拡大図である。
【図２６】本発明に係る実施形態の木質系壁パネル用接合金物を使用して１階のＣＬＴ壁パネル間に垂れ壁を設置する際の状態を示す正面図である。
【図２７】本発明に係る実施形態の木質系壁パネル用接合金物を使用して２階のＣＬＴ床パネルを設置する際の状態を示す正面図である。
【図２８】本発明に係る実施形態の木質系壁パネル用接合金物を使用して２階のＣＬＴ床パネルを設置した状態を示す正面図である。
【図２９】本発明に係る実施形態の木質系壁パネル用接合金物を使用して２階のＣＬＴ壁パネル間に腰壁と垂れ壁を設置する際の状態を示す正面図である。
【図３０】本発明に係る実施形態の木質系壁パネル用接合金物を使用して２階にＣＬＴ天井パネルを設置する際の状態を示す正面図である。
【発明を実施するための形態】
【００１１】
以下、本発明に係る実施形態の木質系壁パネル用接合金物およびその木質系壁パネル用接合金物を使用した木造建物について、添付図面を参照しながら詳細に説明する。なお、下記に説明する実施形態は、あくまで、本発明の一例であり、本発明は、下記に説明する実施形態に限定されるものではなく、本発明の技術的思想の創作の範囲内で変更可能である。
【００１２】
＜実施形態の木質系壁パネル用接合金物の構成＞
実施形態の木質系壁パネル用接合金物は、図１や図１４等に示すように、ＣＬＴ壁パネルＰ１，Ｐ１’下端部の左右両側にそれぞれ設けられる１または複数の第１接合金物１と、ＣＬＴ壁パネルＰ１，Ｐ１’下端部で第１接合金物１の間に設けられる１または複数の第２接合金物２と、ＣＬＴ壁パネルＰ１，Ｐ１’上端部の左右両側にそれぞれ設けられる１または複数の第３接合金物３と、ＣＬＴ壁パネルＰ１，Ｐ１’上端部で第３接合金物３の間に設けられる１または複数の第４接合金物４等を備えている。
【００１３】
ここで、ＣＬＴ壁パネルＰ１，Ｐ１’の厚さは、例えば、共に１２０ｍｍで、高さは３０００ｍｍであり、幅は１１２０ｍｍや２１４０ｍｍのものを使用するが、これはあくまで一例であり、これ以外の寸法のものでも勿論良い。尚、以下で示す寸法もあくまで一例であり、これ以外の寸法のものでも勿論良い。
【００１４】
ただし、図１や、図１３、図１４、図２０等に示すように２階以上にＣＬＴ壁パネルＰ１，Ｐ１’を構築する場合は、ＣＬＴ壁パネルＰ１，Ｐ１’下端部の左右両側の中間には、第２接合金物２の代わりに上下反転させた第４接合金物４を使用する。
【００１５】
（第１接合金物１）
第１接合金物１は、上述したようにＣＬＴ壁パネルＰ１，Ｐ１’下端部の左右両側にそれぞれ設けられるもので、図２〜図６に示すように、基礎ＢＦまたは床ＦＰから延びるアンカーボルト５１先端の雄ネジ部５１ａまたは後述するネジ棒３１の雄ネジ部３１ａが挿入される雄ネジ部挿通孔１１ａが形成された底面板１１と、底面板１１から起立して設けられた平面視、湾曲形状の一対の起立板１２，１２と、その一対の起立板１２，１２の上部に接合され、底面板１１に対向するように設けられ、連結ボルト１５用の連結ボルト孔１３ａ(図４、図５参照。)が形成された上面板１３と、上面板１３の上面側に連結ボルト１５によって締結されて設けられてＣＬＴ壁パネルＰ１，Ｐ１’の中に挿入される丸鋼等の棒状部１４とを有する。尚、底面板１１、一対の起立板１２，１２および上面板１３でボックス部１０を構成する。また、底面板１１および上面板１３は、平面視、正方形で、その一辺は、第１接合金物１をＣＬＴ壁パネルＰ１，Ｐ１’に取り付けた際に第１接合金物１がＣＬＴ壁パネルＰ１，Ｐ１’の表面および裏面から突出しないよう、ＣＬＴ壁パネルＰ１，Ｐ１’の厚さである例えば１２０ｍｍよりも小さい１１０ｍｍとしている。
【００１６】
棒状部１４は、丸鋼から形成されており、連結ボルト１５の雄ネジ部１５ａに螺合する雌ネジ孔１４ａが形成されていると共に、上下方向に任意の間隔でＣＬＴ壁パネルＰ１，Ｐ１’の厚さ方向に貫通する固定ピンであるドリフトピン５３が挿入される複数のピン挿通孔１４ｂが形成されていると共に、その複数のピン挿通孔１４ｂの中間にそれぞれピン挿通孔１４ｂと直交し、上下方向に後述する六角ボルト５４やラグスクリューボルト５６が挿通する長孔形状のボルト挿通長孔１４ｃが形成されている。尚、棒状部１４の外径は、例えば、２８ｍｍで、ドリフトピン５３や六角ボルト５４、ラグスクリューボルト５６の外径は、例えば、１２ｍｍであり、第１接合金物１を固定するアンカーボルト５１の外径は、例えば、２０ｍｍまたは１６ｍｍ、連結ボルト１５の軸部の外径は、例えば、２０ｍｍとする。
【００１７】
（第２接合金物２）
第２接合金物２は、上述したようにＣＬＴ壁パネルＰ１，Ｐ１’下端部において左右両側の第１接合金物１の間に設けられるもので、図７〜図９に示すように、１階の壁を構築する場合、基礎ＢＦから延びるアンカーボルト５１先端の雄ネジ部５１ａが挿入される４箇所の雄ネジ部挿通孔２１ａが形成された長方形状の固定板部２１と、固定板部２１におけるＣＬＴ壁パネルＰ１，Ｐ１’の厚さ方向、すなわち基礎ＢＦの短手方向の中央に、ＣＬＴ壁パネルＰ１，Ｐ１’の水平方向、すなわち基礎ＢＦの長手方向と平行に立設して、ＣＬＴ壁パネルＰ１，Ｐ１’下端部に予め形成されたスリット溝ないしは座掘り部である後述する第２接合金物用収容部Ｐ１ｃ（図１７参照。）に挿入されるせん断力受け板部２２とを有する。尚、固定板部２１の長辺は、例えば、４２０ｍｍ、短辺はＣＬＴ壁パネルＰ１，Ｐ１’の厚さである例えば１２０ｍｍと同じ１２０ｍｍとしている。また、せん断力受け板部２２は、例えば、厚さが６ｍｍ、長さが２８０ｍｍ、高さが１２５ｍｍである。さらに、第２接合金物２を固定するアンカーボルト５１の外径は、例えば、１６ｍｍとする。
【００１８】
ここで、通常、ＣＬＴ壁パネルＰ１，Ｐ１’の第２接合金物用収容部Ｐ１ｃ（図１７参照。）はドリル等を利用して木材に対し加工するため、せん断力受け板部２２の正面形状は、せん断力受け板部２２が挿入されるＣＬＴ壁パネルＰ１，Ｐ１’底面の第２接合金物用収容部Ｐ１ｃ（図１７参照。）の加工精度も考慮して、底面板２１との接合部に近付くほど拡がり、上部にいくに従い窄まるほぼ半円形状に形成されている。
【００１９】
そしてＣＬＴ壁パネルＰ１，Ｐ１’には、上下方向に長い長孔形状であって、ＣＬＴ壁パネルＰ１，Ｐ１’の厚さ方向に貫通する固定ピンであるドリフトピン５３が挿入される複数（ここでは、例えば、６個とするが、あくまで一例である。）のピン挿通長孔２２ａが上下方向に重複しないように基礎ＢＦの長手方向に任意の間隔で形成されると共に、せん断力受け板部２２における基礎ＢＦの長手方向の中間点にＣＬＴ壁パネルＰ１，Ｐ１’の厚さ方向に貫通した位置決めピンであるドリフトピン５３が嵌る位置決めピン嵌合部２２ｂが形成されている。
【００２０】
ピン挿通長孔２２ａを上下方向に長い長孔形状にした理由は、第２接合金物２が主にせん断力を負担し、圧縮力や引張力を負担しないようにするためである。
【００２１】
位置決めピン嵌合部２２ｂは、位置決めピンであるドリフトピン５３が嵌合し易くなるよう、開口側に向かって、すなわち図８（ｂ）上、上方に向かうほど幅がＶ字形状に広がるガイド部が形成されている。
【００２２】
尚、ＣＬＴ壁パネルＰ１，Ｐ１’で２階の壁を構築する場合、２階の壁を構築するＣＬＴ壁パネルＰ１，Ｐ１’は基礎ＢＦではなく２階のＣＬＴ床パネルＦＰの上に接合するため、２階の壁を構築するＣＬＴ壁パネルＰ１，Ｐ１’下端部において左右両側の第１接合金物１の間に設ける第２接合金物２は、図１や図２０等に示すように、図７〜図９に示す第２接合金物２の代わりに、図１０〜図１２に示す第４接合金物４を使用する。
【００２３】
＜第３接合金物３＞
第３接合金物３は、上述したようにＣＬＴ壁パネルＰ１，Ｐ１’上端部の左右両側にそれぞれ設けられるもので、図１や図１４、図１８、図１９、図２１、図２２等に示すように、第１接合金物１の棒状部１４を上下反転させて使用しており、棒状部１４と同様に雌ネジ孔３ａが形成されていると共に、その長手方向には任意の間隔でドリフトピン５３が挿入される複数のピン挿通孔３ｂと、その複数のピン挿通孔３ｂの中間にそれぞれピン挿通孔３ｂと直交する方向で、長手方向に長孔形状のボルト挿通長孔３ｃが形成されている。従って、第３接合金物３の外径も、棒状部１４の外径と同じであり、例えば、２８ｍｍである。
【００２４】
ただし、第３接合金物３は、第１接合金物１とは異なり、ボックス部１０を備えてなく、ＣＬＴ壁パネルＰ１，Ｐ１’上端部に設けるため、雌ネジ孔３ａには、連結ボルト１５ではなく、平屋や最上階の場合には、図２１や図２２に示すようにＣＬＴ天井パネルＵＰが固定するためのネジ棒３１、上階がある場合には、図１８や図１９に示すように、上階のＣＬＴ壁パネルＰ１，Ｐ１’を取り付けるためのネジ棒３１の雄ネジ部３１ａが螺合する。尚、ネジ棒３１は、上下両側に雄ネジ部３１ａが設けられている。また、ネジ棒３１の軸部の外径は、棒状部１４を上面板１３に固定する連結ボルト１５の軸部の外径と同じであり、例えば、２０ｍｍとする。
【００２５】
＜第４接合金物４＞
第４接合金物４は、上述したようにＣＬＴ壁パネルＰ１，Ｐ１’上端部において左右両側の第３接合金物３の間に設けられて上階のＣＬＴ床パネルＦＰに固定されるもので、図７〜図９等に示す第２接合金物２とは異なり、図１０〜図１２に示すように固着具であるビス５７によって上階のＣＬＴ床パネルＦＰに固定される複数（ここでは、例えば６個とするが、あくまで一例であり、本発明では６個に限定されるものではない。）の小孔４１ａが形成された平面視円盤形状の４つの円盤状固定板部４１と、せん断力受け板部４２と、４つのせん断力伝達部４３とを有する。尚、ビス５７の外径は、例えば３ｍｍ前後で、ビス５７代わりに釘等の固着具を使用しても勿論良い。また、円盤状固定板部４１の外径は、例えば５８ｍｍ前後である。
【００２６】
せん断力受け板部４２は、図１０〜図１２に示すように、４つの円盤状固定板部４１を連結するようにそれらの上面側（ただし、後述するようにＣＬＴ壁パネルＰ１，Ｐ１’上端部で使用する場合は、上下反転して使用するので下面側となる。）に設けられ、図７〜図９等に示す第２接合金物２のせん断力受け板部２２と同様に、正面視、ほぼ半円形状で、６個のピン挿通長孔４２ａおよび位置決めピン嵌合部４２ｂが設けられている。尚、せん断力受け板部４２は、第２接合金物２のせん断力受け板部２２と同様に、例えば、厚さが６ｍｍ、長さが２８０ｍｍ、高さが１２５ｍｍである。
【００２７】
また、第４接合金物４は、基礎ＢＦに固定される第２接合金物２と異なり、後述する図２０等に示すように上階のＣＬＴ床パネルＦＰ等に４つの円盤状固定板部４１をビス５７で固定する際、ビス５７の頭部がＣＬＴ床パネルＦＰ面から突出しないようにＣＬＴ床パネルＦＰに形成した４つの円形状の座掘り部に４つの円盤状固定板部４１それぞれを嵌めて使用するため、せん断力受け板部４２下端部には、図１１（ｂ）等に示すように円盤状固定板部４１の外径以下の幅で突出して各円盤状固定板部４１に繋がる４つの中継部４２ｃを設けている。
【００２８】
４つのせん断力伝達部４３は、図１０〜図１２に示すように、それぞれ、円柱状のもので、４つの円盤状固定板部４１それぞれの底面側に設けられており、その外径が例えば１５ｍｍでせん断力受け板部４２の厚さの６ｍｍよりも大きく、かつ、その長さを例えば４０ｍｍにして、せん断力受け板部４２で受けたせん断力を４つの円盤状固定板部４１それぞれを介しＣＬＴ床パネルＦＰに伝達するように構成している。
【００２９】
＜実施形態の木質系壁パネル用接合金物を使用した木造建物の構造＞
次に、以上のようにして実施形態の木質系壁パネル用接合金物を使用して構築された木造建物の構造全体について説明する。
【００３０】
図１３は、本発明に係る実施形態の木質系壁パネル用接合金物を使用してＣＬＴ壁パネル等を接合して構築した２階建ての木造建物の壁構造の一例を示す正面図、図１４は、それぞれ、本発明に係る実施形態の木質系壁パネル用接合金物を使用して２階建ての木造建物の断面図である。また、図１５〜図２３は、それぞれ、図１４におけるＡ部分の要部拡大断面図、Ｂ部分の要部拡大断面図、Ｃ部分の要部拡大断面図、Ｄ部分の要部拡大断面図、Ｅ部分の要部拡大断面図、Ｆ部分の要部拡大断面図、Ｇ部分の要部拡大断面図、Ｈ部分の要部拡大断面図、Ｉ部分の要部拡大断面図である。
【００３１】
図１４〜図２３に示す２階建ての木造建物は、１階の壁は、基礎ＢＦ上に基礎パッキン５０を介して１階のＣＬＴ壁パネルＰ１，Ｐ１’を固定すると共に、ＣＬＴ壁パネルＰ１，Ｐ１’間に垂れ壁Ｐ２等を接合して構築する一方、２階の壁は、１階のＣＬＴ壁パネルＰ１，Ｐ１’や垂れ壁Ｐ２等の上に２階のＣＬＴ床パネルＦＰを設置し、その上に２階のＣＬＴ壁パネルＰ１，Ｐ１’を固定すると共に、そのＣＬＴ壁パネルＰ１，Ｐ１’間に腰壁Ｐ３や垂れ壁Ｐ２’等を接合して構築し、それらの上にＣＬＴ天井パネルＵＰを設置した状態を示している。
【００３２】
（図１３および図１４上、右側のＣＬＴ壁パネルＰ１における木質系壁パネル用接合金物の配置）
図１３および図１４上、右側のＣＬＴ壁パネルＰ１下端部では、１階および２階共に、左右両側にそれぞれ２つずつ第１接合金物１を設ける一方、左右両側の第１接合金物１の間には、１階の場合、基礎パッキン５０を介し１つの第２接合金物２を基礎ＢＦに固定し、２階の場合は、１つの第４接合金物４を設けてＣＬＴ床パネルＦＰに固定する。
【００３３】
また、図１３および図１４上、右側のＣＬＴ壁パネルＰ１上端部では、１階および２階共に、左右両側にそれぞれ２本ずつ第３接合金物３を設ける一方、左右両側の第３接合金物３の間に１つの第４接合金物４を上下反転させて設けて、２階のＣＬＴ壁パネルＰ１やＣＬＴ床パネルＦＰに固定する。
【００３４】
（図１３および図１４上、左側のＣＬＴ壁パネルＰ１’における木質系壁パネル用接合金物の配置）
これに対し、図１３および図１４上、左側のＣＬＴ壁パネルＰ１’下端部では、１階および２階共に、図１４に示すように、左右両側に２つずつ第１接合金物１を設ける一方、左右両側の第１接合金物１の間には、１階の場合、２つの第２接合金物２を任意の間隔を離して設けて基礎パッキン５０を介し基礎ＢＦに固定し、２階の場合は、２つの第４接合金物４を任意の間隔を離して設けてＣＬＴ床パネルＦＰに固定する。
【００３５】
また、図１３および図１４上、左側のＣＬＴ壁パネルＰ１’上端部では、１階および２階共に、左右両側にそれぞれ２本ずつ第３接合金物３を設ける一方、左右両側の第３接合金物３の間には、２つの第４接合金物４を任意の間隔を離して上下反転させて設けて、１階の場合、２階のＣＬＴ壁パネルＰ１やＣＬＴ床パネルＦＰに固定し、２階の場合、ＣＬＴ天井パネルＵＰに固定する。尚、３階建て以上の木造建物の場合であれば、第３接合金物３および第４接合金物４は、３階のＣＬＴ壁パネルＰ１やＣＬＴ床パネルＦＰに固定される。
【００３６】
＜実施形態の木質系壁パネル用接合金物を使用した木造建物の構築方法＞
次に、以上のように構成された実施形態の木質系壁パネル用接合金物を使用して、例えば、図１３〜図１９に示すような２階建ての木造建物の構築方法について説明する。
【００３７】
（工場等におけるＣＬＴ壁パネルＰ１，Ｐ１’等の加工）
まず、ＣＬＴ壁パネルＰ１，Ｐ１’を施工現場に搬送する前に予め工場等において、実施形態の木質系壁パネル用接合金物を構成する第１接合金物１、第２接合金物２、第３接合金物３および第４接合金物４が図１３や図１４に示すようにＣＬＴ壁パネルＰ１，Ｐ１’の中に収容されるように収容部を座掘り加工等によって設ける。
【００３８】
（図１３上、１階および２階の右側のＣＬＴ壁パネルＰ１の加工）
つまり、図１３上、１階および２階の右側のＣＬＴ壁パネルＰ１下端部の左右両側には、それぞれ、後述する図１５および図１６や、図１８および図１９に示すように２個の第１接合金物１の棒状部１４が挿入される棒状部用収容部Ｐ１ａを予め形成しておくと共に、２個の第１接合金物１のボックス部１０が収容されるボックス部用収容部Ｐ１ｂを予め形成しておく。
【００３９】
また、１階の右側のＣＬＴ壁パネルＰ１下端部の中央には、後述する図１７に示すように、１個の第２接合金物２が収容される第２接合金物用収容部Ｐ１ｃを形成しておく一方、２階の右側のＣＬＴ壁パネルＰ１下端部の中央には、図２０に示すように、１個の第４接合金物４が収容される第４接合金物用収容部Ｐ１ｅを形成しておく
【００４０】
また、１階および２階の右側のＣＬＴ壁パネルＰ１上端部の左右両側には、それぞれ、図１８および図１９に示すように２本の第３接合金物３が挿入される第３接合金物用収容部Ｐ１ｄを予め形成しておく
【００４１】
また、１階および２階の右側のＣＬＴ壁パネルＰ１上端部の中央には、図２０に示すように、１つの第４接合金物４が上下反対に収容される第４接合金物用収容部Ｐ１ｅを形成しておく。
【００４２】
（図１３上、１階および２階の左側のＣＬＴ壁パネルＰ１’の加工）
同様に、図１３および図１４上、１階および２階の左側のＣＬＴ壁パネルＰ１’下端部の左右両側には、それぞれ図１５および図１６や図１８および図１９に示す場合と同様に２個の第１接合金物１の棒状部１４が挿入される棒状部用収容部Ｐ１ａを予め形成しておくと共に、２個の第１接合金物１のボックス部１０が収容されるボックス部用収容部Ｐ１ｂを予め形成しておく。
【００４３】
また、１階のＣＬＴ壁パネルＰ１’下端部の中央には、図１４に示すように、２個の第２接合金物２がそれぞれ収容される第２接合金物用収容部Ｐ１ｃ、２階のＣＬＴ壁パネルＰ１’下端部の中央には、２個の第４接合金物４が収容される第２接合金物用収容部Ｐ１ｅを任意の間隔を空けて形成しておく。
【００４４】
一方、１階および２階の左側のＣＬＴ壁パネルＰ１’上端部の左右両側には、それぞれ、図１８および図１９に示す場合と同様に２本の第３接合金物３が挿入される第３接合金物用収容部Ｐ１ｄを予め形成しておく一方、ＣＬＴ壁パネルＰ１’上端部の中央には、図２０に示す場合と同様に２つの第４接合金物４が上下反対に収容される第４接合金物用収容部Ｐ１ｅを任意の間隔を空けて形成しておく。
【００４５】
（工場等におけるＣＬＴ壁パネルＰ１，Ｐ１’等への実施形態の木質系壁パネル用接合金物の取り付け）
上述したようにＣＬＴ壁パネルＰ１，Ｐ１’を加工すると共に、図２４に示すように、ＣＬＴ壁パネルＰ１，Ｐ１’の下端部両側の棒状部用収容部Ｐ１ａおよびボックス部用収容部Ｐ１ｂにそれぞれ第１接合金物１の棒状部１４およびボックス部１０を収容すると共に、ＣＬＴ壁パネルＰ１，Ｐ１’の上端部両側の第３接合金物用収容部Ｐ１ｄに第３接合金物３が挿入し、その後、それぞれ、ＣＬＴ壁パネルＰ１，Ｐ１’の厚さ方向に貫通する固定ピンであるドリフトピン５３をＣＬＴ壁パネルＰ１，Ｐ１’のピン挿通孔から第１接合金物１の棒状部１４のピン挿通孔１４ｂ（図２〜図５参照。）と、第１接合金物１の棒状部１４と同じ形状である第３接合金物３のピン挿通孔に通して、ＣＬＴ壁パネルＰ１，Ｐ１’にそれぞれ、第１接合金物１および第３接合金物３を取り付けておく。
【００４６】
そして、実施形態の木質系壁パネル用接合金物を用いた木造建物では、図２５（ｂ）に示すように、棒状部１４下端部と上面板１３上面との間に例えば５ｍｍ程度の隙間Ｗを空けた状態、すなわち棒状部１４をＣＬＴ壁パネルＰ１の中に例えば５ｍｍ程度潜らせた状態で、ドリフトピン５３でＣＬＴ壁パネルＰ１の内外および棒状部１４の複数のピン挿通孔１４ｂを貫通させてＣＬＴ壁パネルＰ１の左右両側部に第１接合金物１を取り付けておき、その後、工場または施工現場等において、その隙間Ｗがなくなるように連結ボルト１５を締め付けて、ＣＬＴ壁パネルＰ１の左右両側部に第１接合金物１を強固に固定する。
【００４７】
そのため、第１接合金物１の棒状部１４には、常時、引張力が作用した状態でＣＬＴ壁パネルＰ１，Ｐ１’の左右両側部に第１接合金物１を取り付けることが可能となるので、ＣＬＴ壁パネルＰ１，Ｐ１’に第１接合金物１をガタつくことなく確実かつ強固に取り付けることができる。
【００４８】
また、ＣＬＴ壁パネルＰ１，Ｐ１’には、基礎ＢＦに固定する前に、基礎ＢＦに固定された第２接合金物２の位置決めピン嵌合部２２ｂに嵌合する位置決めピンとしてドリフトピン５３を、ＣＬＴ壁パネルＰ１，Ｐ１’の厚さ方向に貫通させておく。尚、図２４上、右側のＣＬＴ壁パネルＰ１の場合には、図２５（ａ）に示すように上端部および下端部の中央のピン挿通孔に位置決めピンとしてドリフトピン５３を１本ずつ貫通させておき、左側のＣＬＴ壁パネルＰ１の場合には、下端部および上端部ではそれぞれ２個の第２接合金物２または第４接合金物４に接続するため、それらの位置決めピン嵌合部２２ｂに嵌合するよう上端部および下端部それぞれに位置決めピンとしてドリフトピン５３を２本ずつ貫通させておく。
【００４９】
また、図２４や図１４に示すように１階および２階のＣＬＴ壁パネルＰ１，Ｐ１’間には、垂れ壁Ｐ２，垂れ壁Ｐ２’や腰壁３等を接続して出入口や腰高窓用の開口部を形成するため、１階のＣＬＴ壁パネルＰ１，Ｐ１’上端部の側面には、図１９に示すように、六角ボルト５４やラグスクリューボルト５６を第３接合金物３のボルト挿通長１４ｃに通し、六角ボルト５４先端のネジ部は丸鋼ナット５５に螺合して上下方向に２個の梁受け金物６を取り付けておく一方、垂れ壁Ｐ２の側面には、プレート金物７をドリフトピン５３等によって取り付けておく。
【００５０】
また、２階のＣＬＴ壁パネルＰ１，Ｐ１’下端部の側面にも、図１９に示すように六角ボルト５４やラグスクリューボルト５６を第３接合金物３のボルト挿通長１４ｃに通し、六角ボルト５４先端のネジ部は丸鋼ナット５５に螺合して上下方向に２個の梁受け金物６を取り付けておく一方、腰壁Ｐ３の側面には、プレート金物７をドリフトピン５３等によって取り付けておくと共に、２階のＣＬＴ壁パネルＰ１，Ｐ１’上端部の側面には、図２２に示すように六角ボルト５４やラグスクリューボルト５６を第３接合金物３のボルト挿通長１４ｃに通し、六角ボルト５４先端のネジ部は丸鋼ナット５５に螺合して１個の梁受け金物６を取り付けておく一方、垂れ壁Ｐ２’の側面には、プレート金物７’をドリフトピン５３等によって取り付けておく。
【００５１】
（１階にＣＬＴ壁パネルＰ１，Ｐ１’を固定）
次に、施工現場では、図２４に示すように、基礎ＢＦにアンカーボルト５１が埋設され、その上面からアンカーボルト５１の雄ネジ部５１ａが突出しているので、雄ネジ部５１ａを第２接合金物２の雄ネジ部挿通孔２１ａに通しナット５２により締結して、基礎パッキン５０等を介して第２接合金物２を基礎ＢＦに固定しておく。
【００５２】
基礎ＢＦに第２接合金物２の固定が完了すると、以上のように工場等において加工され、第１接合金物１および第３接合金物３が取り付けられたＣＬＴ壁パネルＰ１，Ｐ１’下端部を、図２４に示すように基礎パッキン５０等を介して基礎ＢＦの上に設置する。
【００５３】
その際、ＣＬＴ壁パネルＰ１，Ｐ１’の下端部中央には、図２５（ａ）に示すように予め位置決めピンであるドリフトピン５３が挿入されており、そのドリフトピン５３が基礎ＢＦに固定された第２接合金物２のせん断力受け板部２２の位置決めピン嵌合部２２ｂによって案内されて嵌り、ＣＬＴ壁パネルＰ１，Ｐ１’を基礎ＢＦの所定位置に容易に設置することができる。
【００５４】
そして、１階の左右のＣＬＴ壁パネルＰ１，Ｐ１’の左右両側の第１接合金物１では、それぞれ、図１５や図１６に示すように、そのアンカーボルト５１頭部が底面板１１の雄ネジ部挿通孔１１ａから突出するので、２つのナット５２により締結して、左右両側の第１接合金物１を基礎ＢＦに固定する。
【００５５】
また、ＣＬＴ壁パネルＰ１，Ｐ１’の下端部中央の位置決めピンであるドリフトピン５３が位置決めピン嵌合部２２ｂに嵌合した第２接合金物２では、ＣＬＴ壁パネルＰ１，Ｐ１’の下端部中央における位置決めピン以外のドリフトピン５３をＣＬＴ壁パネルＰ１，Ｐ１’の厚さ方向に挿入してせん断力受け板部２２のピン挿通長孔２２ａを貫通させ、第２接合金物２をＣＬＴ壁パネルＰ１，Ｐ１’に固定する。
【００５６】
（１階にＣＬＴ壁パネルＰ１，Ｐ１’を設置）
以上のようにして１階の基礎ＢＦに第１接合金物１および第２接合金物２等によってＣＬＴ壁パネルＰ１，Ｐ１’の固定が完了すると、次いで１階に出入り口を設けるため、図２６に示すように、垂れ壁Ｐ２を上方からＣＬＴ壁パネルＰ１，Ｐ１’の間に落とし込む。
【００５７】
すると、図１９等に示すようにＣＬＴ壁パネルＰ１，Ｐ１’上端部の側面には、予め工場等において六角ボルト５４やラグスクリューボルト５６を第３接合金物３のボルト挿通長１４ｃに通し、六角ボルト５４先端のネジ部は丸鋼ナット５５に螺合して上下方向に２個の梁受け金物６が取り付けている一方、垂れ壁Ｐ２の側面にも予め工場等においてプレート金物７がドリフトピン５３等によって取り付けられているため、基礎ＢＦに固定されたＣＬＴ壁パネルＰ１，Ｐ１’の上端部間に垂れ壁Ｐ２を落とし込むだけで、１階のＣＬＴ壁パネルＰ１，Ｐ１’間に垂れ壁Ｐ２を接合して出入口用の開口部を形成することができる。
【００５８】
その際、垂れ壁Ｐ２の外側の列の最上位のピン挿通孔にリフトピン５３を挿入しておくことにより、ＣＬＴ壁パネルＰ１，Ｐ１’側の２個の梁受け金物６の内、上側の梁受け金物６のピン受け溝部にそのドリフトピン５３が嵌るので、垂れ壁Ｐ２をＣＬＴ壁パネルＰ１，Ｐ１’の間の所定位置に容易に設置することができる。尚、その後は、他のピン挿通孔にドリフトピン５３を挿入して、梁受け金物６やプレート金物７を介して垂れ壁Ｐ２をＣＬＴ壁パネルＰ１，Ｐ１’間に固定する。
【００５９】
（２階のＣＬＴ床パネルＦＰの設置）
１階のＣＬＴ壁パネルＰ１，Ｐ１’や垂れ壁Ｐ２等の設置が完了すると、次は、図２７に示すように、それらの上に２階のＣＬＴ床パネルＦＰを設置する。
【００６０】
ここで、２階のＣＬＴ床パネルＦＰには、予め工場等において図２７等に示すようにＣＬＴ壁パネルＰ１，Ｐ１’上端部それぞれの左右両側の第３接合金物３に螺合したネジ棒３１が上下方向に貫通するようネジ棒貫通孔ＦＰ１を形成しておく。また、２階のＣＬＴ床パネルＦＰの底面側および上面側に、それぞれ、第４接合金物４がせん断力を確実に伝達するよう、図２０に示すように第４接合金物４の４つのせん断力伝達部４３および平面視円盤形状の円盤状固定板部４１がＣＬＴ床パネルＦＰ中に埋まり、かつ、ビス５７の頭部がＣＬＴ床パネルＦＰの上面から突出しないような深さの２段の収容部（座掘り部）を形成しておく。
【００６１】
また、その２段の収容部（座掘り部）の内径は、４つのせん断力伝達部４３および平面視円盤形状の円盤状固定板部４１によってせん断力がＣＬＴ床パネルＦＰに確実に伝達されるようにせん断力伝達部４３および円盤状固定板部４１の外径とほぼ同じに形成されている。
【００６２】
そして、２階のＣＬＴ床パネルＦＰの底面には、予め第４接合金物４の４つの円盤状固定板部４１およびせん断力伝達部４３を、図１０〜図１２に示す状態とは上下反対にしてビス５７の頭部がＣＬＴ床パネルＦＰの底面から突出しないよう２段の収容部（座掘り部）に挿入してビス５７で固定する一方、２階のＣＬＴ床パネルＦＰの上面にも、第４接合金物４の４つの円盤状固定板部４１およびせん断力伝達部４３をビス５７の頭部がＣＬＴ床パネルＦＰの上面から突出しないように２段の収容部（座掘り部）に固定する。
【００６３】
以上のように底面側および上面側の双方に第４接合金物４を取り付けた２階のＣＬＴ床パネルＦＰを、図２８に示すように１階のＣＬＴ壁パネルＰ１，Ｐ１’および垂れ壁Ｐ２上端部に突合せ、ＣＬＴ壁パネルＰ１，Ｐ１’上端部それぞれの左右両側の第３接合金物３に螺合したネジ棒３１をそれぞれ２階のＣＬＴ床パネルＦＰに形成しておいたネジ棒貫通孔ＦＰ１から貫通させる一方、２階のＣＬＴ床パネルＦＰの底面側に取り付けておいた第４接合金物４をＣＬＴ壁パネルＰ１，Ｐ１’上端部の第４接合金物用収容部Ｐ１ｅに収容する。
【００６４】
その際、ＣＬＴ壁パネルＰ１，Ｐ１’の上端部の中央には、予め位置決めピンであるドリフトピン５３が挿入されており、そのドリフトピン５３がＣＬＴ床パネルＦＰに固定された第４接合金物４のせん断力受け板部２２の位置決めピン嵌合部２２ｂによって案内されるので、ＣＬＴ床パネルＦＰをＣＬＴ壁パネルＰ１，Ｐ１’の所定位置に容易に設置することができる。
【００６５】
その後、第４接合金物４のせん断力受け板部２２の他のピン挿通長孔２２ａには、ＣＬＴ壁パネルＰ１，Ｐ１’の外側からドリフトピン５３を挿入して、第４接合金物４によってＣＬＴ床パネルＦＰとのＣＬＴ壁パネルＰ１，Ｐ１’上端部とを固定する。
【００６６】
（２階にＣＬＴ壁パネルＰ１，Ｐ１’を設置）
図２８に示すように１階のＣＬＴ壁パネルＰ１，Ｐ１’の上に２階のＣＬＴ床パネルＦＰの設置が完了すると、続いて１階のＣＬＴ壁パネルＰ１，Ｐ１’の設置の場合と同様に２階のＣＬＴ床パネルＦＰの上に２階のＣＬＴ壁パネルＰ１，Ｐ１’を設置する。
【００６７】
ただし、２階のＣＬＴ壁パネルＰ１，Ｐ１’の間には、図１４に示すように、腰壁Ｐ３および垂れ壁Ｐ２’を連結して腰高窓用の開口部を形成するため、図２９や図１９に示すように２階のＣＬＴ壁パネルＰ１，Ｐ１’下端部の両側面には、腰壁Ｐ３の高さに合わせて上下方向に２個の梁受け金物６を六角ボルト５４やラグスクリューボルト５６を第３接合金物３のボルト挿通長１４ｃに通し、六角ボルト５４先端のネジ部は丸鋼ナット５５に螺合して取り付けておく一方、ＣＬＴ壁パネルＰ１，Ｐ１’上端部の両側面には、図２２に示すように垂れ壁Ｐ２’の高さに合わせて１個の梁受け金物６を六角ボルト５４やラグスクリューボルト５６を第３接合金物３のボルト挿通長１４ｃに通し、六角ボルト５４先端のネジ部は丸鋼ナット５５に螺合して取り付けておく。
【００６８】
一方、腰壁Ｐ３および垂れ壁Ｐ２’の左右両側面には、腰壁Ｐ３および垂れ壁Ｐ２’の高さに応じたプレート金物７，７’をドリフトピン５３によって固定しておく。
【００６９】
ここで、ＣＬＴ壁パネルＰ１，Ｐ１’の側面に梁受け金物６を設ける場合、第１接合金物１の棒状部１４におけるピン挿通孔１４ｂとはズレた位置であってピン挿通孔１４ｂとは直交する方向に、上下方向に長孔形状のボルト挿通長孔１４ｃが形成されているため、図１９や図２２等に示すように、そのボルト挿通長孔１４ｃに六角ボルト５４やラグスクリューボルト５６を第３接合金物３のボルト挿通長１４ｃに通し、六角ボルト５４先端のネジ部は丸鋼ナット５５に螺合して上下方向に２個の梁受け金物６等の連結金物を、第１接合金物１と干渉させずにＣＬＴ壁パネルＰ１の左右両側部に設けることができる。
【００７０】
図２９に示すように、２階のＣＬＴ床パネルＦＰに固定した２階のＣＬＴ壁パネルＰ１，Ｐ１’の間に腰壁Ｐ３および垂れ壁Ｐ２’を落とし込み、図１９や図２２に示すように、腰壁Ｐ３および垂れ壁Ｐ２’の厚さ方向に貫通するドリフトピン５３を梁受け金物６およびプレート金物７，７’のピン挿通孔に通すことによって梁受け金物６とプレート金物７，７’とを接合して図３０に示すように２階のＣＬＴ壁パネルＰ１，Ｐ１’の間に腰壁Ｐ３および垂れ壁Ｐ２’の固定が完了すると、２階のＣＬＴ壁パネルＰ１，Ｐ１’間に接合した腰壁Ｐ３と垂れ壁Ｐ２’との間に窓用の開口部を形成することができる。
【００７１】
（２階のＣＬＴ天井パネルＵＰの設置）
２階のＣＬＴ壁パネルＰ１，Ｐ１’や腰壁Ｐ３と垂れ壁Ｐ２’の設置が完了すると、次は、図３０に示すように、それらの上に２階のＣＬＴ天井パネルＵＰを設置する。
【００７２】
その際、２階のＣＬＴ天井パネルＵＰには、図１８や図１９等に示すようにＣＬＴ壁パネルＰ１，Ｐ１’上端部それぞれの左右両側の第３接合金物３に螺合しておいたネジ棒３１が上下方向に貫通するようネジ棒貫通孔ＵＰ１を形成しておく一方、２階のＣＬＴ天井パネルＵＰの底面側には、それぞれ、図３０に示すように第４接合金物４を予め設置するため、第４接合金物４の４つのせん断力伝達部４３および平面視円盤形状の円盤状固定板部４１がＣＬＴ床パネルＦＰ中に埋まり、ビス５７の頭部もＣＬＴ天井パネルＵＰの底面側から突出せず、かつ、４つのせん断力伝達部４３および平面視円盤形状の円盤状固定板部４１によってせん断力がＣＬＴ天井パネルＵＰに確実に伝達されるよう２段の収容部（座掘り部）を形成し、その２段の収容部（座掘り部）にせん断力伝達部４３および円盤状固定板部４１を嵌めて、ビス５７によって第４接合金物４を固定する。
【００７３】
そして、以上のように予め底面側に第４接合金物４を取り付けた２階のＣＬＴ天井パネルＵＰを、図１４に示すように２階のＣＬＴ壁パネルＰ１，Ｐ１’上端部に突合せ、ＣＬＴ壁パネルＰ１，Ｐ１’上端部それぞれの左右両側の第３接合金物３に螺合したネジ棒３１を２階のＣＬＴ天井パネルＵＰのネジ棒貫通孔ＵＰ１に貫通させる一方、２階のＣＬＴ天井パネルＵＰの底面側に取り付けておいた第４接合金物４を２階のＣＬＴ壁パネルＰ１，Ｐ１’上端部の第４接合金物用収容部Ｐ１ｅに収容させる。
【００７４】
その際、２階のＣＬＴ壁パネルＰ１，Ｐ１’の上端部の中央には、予め位置決めピンであるドリフトピン５３が挿入されており、そのドリフトピン５３がＣＬＴ床パネルＦＰに固定された第４接合金物４のせん断力受け板部２２の位置決めピン嵌合部２２ｂによって案内されるので、ＣＬＴ床パネルＦＰをＣＬＴ壁パネルＰ１，Ｐ１’の所定位置に容易に設置することができる。
【００７５】
そして、第４接合金物４のせん断力受け板部２２の他のピン挿通長孔２２ａにＣＬＴ壁パネルＰ１，Ｐ１’の外側からドリフトピン５３を挿入して、第４接合金物４によってＣＬＴ床パネルＦＰとのＣＬＴ壁パネルＰ１，Ｐ１’上端部とを固定する一方、２階のＣＬＴ天井パネルＵＰのネジ棒貫通孔ＵＰ１から上方に突出したＣＬＴ壁パネルＰ１，Ｐ１’上端部両側のネジ棒３１には、図２１や図２２に示すように座金５８等を介してナット５２を締結して２階のＣＬＴ天井パネルＵＰの固定が完了する。
【００７６】
尚、１階の床の施工については説明したかったが、例えば、従来の施工方法と同様に、基礎ＢＦの内側に束石ブロック等を敷設して束柱を介し大引きや根太を設けてその上に床板を設ければ良い。
【００７７】
＜実施形態の実施形態の木質系壁パネル用接合金物等の主な効果＞
以上説明したように、本発明に係る実施形態の木質系壁パネル用接合金物およびその木質系壁パネル用接合金物を用いた木造建物では、ＣＬＴ壁パネルＰ１，Ｐ１’下端部の左右両側に設ける第１接合金物１と、ＣＬＴ壁パネルＰ１，Ｐ１’下端部で第１接合金物１の間に設ける第２接合金物２と、ＣＬＴ壁パネルＰ１，Ｐ１’上端部の左右両側に設ける第３接合金物３と、ＣＬＴ壁パネルＰ１，Ｐ１’上端部で第３接合金物３の間に設ける第４接合金物４とを備え、第１接合金物１の棒状部１４および第３接合金物３にはその長手方向、すなわち上下方向に任意の間隔で設けた複数のピン挿通長孔１４ａ，３ａそれぞれにドリフトピン５３を挿入してＣＬＴ壁パネルＰ１，Ｐ１’に作用する引張力を主に負担させる一方、第２接合金物２および第４接合金物４のせん断力受け板部２２，４２にはその長手方向に任意の間隔で設けた上下方向に長い長孔形状の複数のピン挿通長孔２２ａ，４２ａそれぞれにドリフトピン５３を挿入してＣＬＴ壁パネルＰ１，Ｐ１’に作用するせん断力を主に負担させるように構成した。
【００７８】
そのため、実施形態の木質系壁パネル用接合金物およびその木質系壁パネル用接合金物を用いた木造建物によれば、引張力を主に負担する第１接合金物１および第３接合金物３と、せん断力を主に負担する第２接合金物２および第４接合金物４とを別の接合金物として独立させたので、引張力負担用の第１接合金物および第３接合金物と、せん断力負担用の第２接合金物および第４接合金物とを効率良く設計することができ、その結果、木質系壁パネルを耐震壁とした耐震性の高い木造建物を効率良く構築することができる。
【００７９】
特に、実施形態の第２接合金物２のせん断力受け板部２２と、第４接合金物４のせん断力受け板部４２には、それぞれ、上下方向に長孔形状のピン挿通長孔２２ａ，４２ａを設けたため、地震などによって第２接合金物２および第４接合金物４に対し引抜き力が発生した場合でも、ピン挿通長孔２２ａ，４２ａによって引抜き力を第２接合金物２および第４接合金物４から逃がすことができるので、第１接合金物１および第３接合金物３に確実に引抜き力を負担させることができる。
【００８０】
また、実施形態の第２接合金物２のせん断力受け板部２２と第４接合金物４のせん断力受け板部４２は、その正面形状は、それぞれ、底面板２１または円盤状固定板部４１との接合部に近付くほど拡がり、上部にいくに従い窄まるほぼ半円形状に形成したため、せん断力受け板部２２またはせん断力受け板部４２が挿入されるＣＬＴ壁パネルＰ１，Ｐ１’底面に形成する第２接合金物用収容部Ｐ１ｃ（図１７参照。）や第４接合金物用収容部Ｐ１ｅ（図２０、図２３参照。）の加工穴の角がしっかり取れていない場合でも、せん断力受け板部２２またはせん断力受け板部４２が当たり難くなり、施工性を向上させることができる。
【００８１】
また、実施形態の木質系壁パネル用接合金物およびその木質系壁パネル用接合金物を用いた木造建物では、第１接合金物１は、棒状部１４の下端部には、雌ネジ部１４ａが形成され、上面板１３には連結ボルト１５の雄ネジ部１５ａが挿入される雄ネジ部挿入孔１４ａが形成されており、棒状部１４は、連結ボルト１５の雄ネジ部１５ａが棒状部１４の雌ネジ部１４ａに螺合して上面板１３に固定されるように構成されている。
【００８２】
そのため、ＣＬＴ壁パネルＰ１の左右両側部に予め第１接合金物１を取り付ける際、図２５（ｂ）に示すように、棒状部１４下端部と上面板１３上面との間に例えば５ｍｍ程度の隙間Ｗを空けた状態、すなわち棒状部１４をＣＬＴ壁パネルＰ１の中に例えば５ｍｍ程度潜らせた状態で、ドリフトピン５３でＣＬＴ壁パネルＰ１の内外および棒状部１４の複数のピン挿通孔１４ｂを貫通させてＣＬＴ壁パネルＰ１の左右両側部に予め第１接合金物１を取り付けておき、その後、その隙間Ｗがなくなるように連結ボルト１５を締め付けることによって上面板１３に棒状部１４を引寄せて、第１接合金物１の棒状部１４には、常時、引張力を作用させることが可能となるので、ＣＬＴ壁パネルＰ１に第１接合金物１をガタつくことなく確実かつ強固に取り付けることができる。
【００８３】
また、実施形態の木質系壁パネル用接合金物およびその木質系壁パネル用接合金物を用いた木造建物では、第３接合金物３は第１接合金物１の棒状部１４を上下逆さまにして使用して、棒状部１４の雌ネジ部１４ａにネジ棒３１の雄ネジ部３１ａが螺合するように構成し、第１接合金物１の棒状部１４を第３接合金物３として共用できるようにしたため、木質系壁パネル用接合金物の種類を削減することができ、製造コストを低減することができる。
【００８４】
また、実施形態の木質系壁パネル用接合金物およびその木質系壁パネル用接合金物を用いた木造建物では、第４接合金物４のせん断力受け板部４２下端部には、図１１（ｂ）等に示すように円盤状固定板部４１の外径以下の幅で突出した４つの中継部４２ｃそれぞれを介し平面視円盤形状の４つの円盤状固定板部４１が設けられ、４つの円盤状固定板部４１には、それぞれ、小孔４１ａが設けられていると共に、せん断力伝達部４３とが設けられているため、第４接合金物４の円盤状固定板部４１を固定する２階のＣＬＴ床パネルＦＰやＣＬＴ天井パネルＵＰにせん断力伝達部４３および円盤状固定板部４１の外径とほぼ同じ内径を有する２段の収容部（座掘り部）を４つ形成して、２段の収容部（座掘り部）にせん断力伝達部４３および円盤状固定板部４１を嵌めて第４接合金物４を固定するように構成したため、ボルトより細径のビス５７や釘等の固着具によって第４接合金物の円盤状固定板部４１をＣＬＴ床パネルＦＰやＣＬＴ天井パネルＵＰに固定する場合でも、ＣＬＴ壁パネルＰ１，Ｐ１’とＣＬＴ床パネルＦＰやＣＬＴ天井パネルＵＰとの間でせん断力伝達部４３および平面視円盤形状の円盤状固定板部４１を介し確実にせん断力を伝達することができる。
【００８５】
また、実施形態の木質系壁パネル用接合金物およびその木質系壁パネル用接合金物を用いた木造建物では、第１接合金物１の棒状部１４および第３接合金物３のピン挿通孔１４ｂ，３ｂとはズレた位置であってピン挿通孔１４ｂ，３ｂとは直交する方向に、上下方向に長孔形状のボルト挿通長孔１４ｃ，３ｃが形成されているため、図１９や図２２等に示すように、そのボルト挿通長孔１４ｃに六角ボルト５４やラグスクリューボルト５６を第３接合金物３のボルト挿通長１４ｃに通し、六角ボルト５４先端のネジ部は丸鋼ナット５５に螺合して梁受け金物６等の連結金物を、第１接合金物１と干渉させずにＣＬＴ壁パネルＰ１の左右両側部に設けることができる。
【００８６】
そのため、図１４等に示すように、ＣＬＴ壁パネルＰ１，Ｐ１’を基礎ＢＦやＣＬＴ床パネルＦＰ上に間隔を空けて設置し、間隔を開けたＣＬＴ壁パネルＰ１，Ｐ１’の間に垂れ壁Ｐ２，Ｐ２’や、腰壁Ｐ３を第１接合金物１と干渉させずに簡単に設けることができると共に、梁受け金物６等の連結金物は上下方向に長孔形状のボルト挿通長孔１４ｃを貫通する六角ボルト５４及び丸鋼ナット５５やラグスクリューボルト５６によってＣＬＴ壁パネルＰ１，Ｐ１’に固定されるので、大きな地震などによってＣＬＴ壁パネルＰ１，Ｐ１’や垂れ壁Ｐ２，Ｐ２’、腰壁Ｐ３等が傾斜ないしは回転等の挙動を開始しても、垂れ壁Ｐ２，Ｐ２’や腰壁Ｐ３からの外力がピン挿通孔１４ｂ，３ｂによって第１接合金物１や第３接合金物３にあるいはその逆に伝わらないので、ＣＬＴ壁パネルＰ１，Ｐ１’を耐震壁とした耐震性の高い木造建物を効率良く構築することができる。
【００８７】
また、実施形態の木質系壁パネル用接合金物およびその木質系壁パネル用接合金物を用いた木造建物では、２階以上に木質系壁パネルＰ，Ｐ’を構築する場合、図１４や図２０等に示すように、第２接合金物２の代わりに上下反転させた第４接合金物４を使用するようにしたため、木質系壁パネル用接合金物の種類を削減することができ、製造コストを低減することができる。
【００８８】
尚、上記実施形態の説明では、図１３や図１４等に示すように、右側のＣＬＴ壁パネルＰでは、ＣＬＴ壁パネルＰ１下端部と上端部の左右両側にそれぞれ２つの第１接合金物１または第３接合金物３を設け、左右両側の第１接合金物１または第３接合金物３の間に１つの第２接合金物２（２階の場合、第４接合金物４となる。）または第４接合金物４を設ける一方、左側のＣＬＴ壁パネルＰ１’では、ＣＬＴ壁パネルＰ１’下端部と上端部の左右両側に２つの第１接合金物１または第３接合金物３を設ける一方、左右両側の第１接合金物１の間に２つの第２接合金物２（２階の場合、第４接合金物４となる。）または第４接合金物４を設けて説明したが、本発明ではこれに限らず、ＣＬＴ壁パネルの大きさ、特に水平方向の長さ等に応じて、ＣＬＴ壁パネル下端部と上端部の左右両側にそれぞれ１つまたは３つ以上の第１接合金物１または第３接合金物３を設けても良いし、それらの間に３つ以上の第２接合金物２（２階の場合、第４接合金物４となる。）または第４接合金物４を設けるようにしても勿論良い。
【００８９】
また、上記実施形態の説明では、ＣＬＴ壁パネルＰ１，Ｐ１’の左右両側の第１接合金物１の棒状部１４と第３接合金物３のボルト挿通長孔１４ｃ，３ｃに六角ボルト５４やラグスクリューボルト５６を通して梁受け金物６を設け、プレート金物７，７’を設けた垂れ壁Ｐ２，Ｐ２’や腰壁Ｐ３と連結するように説明したが、本発明ではこれに限らず、梁受け金物６を設けたＣＬＴ壁パネルと、プレート金物７，７’を設けたＣＬＴ壁パネルとを連結するようにしても勿論良い。
【符号の説明】
【００９０】
１  第１接合金物
１０  ボックス部
１１  底面板
１１ａ  雄ネジ部挿通孔
１２  起立板
１３  上面板
１３ａ  連結ボルト孔
１４  棒状部
１４ａ  雌ネジ孔
１４ｂ  ピン挿通孔
１４ｃ  ボルト挿通長孔
１５  連結ボルト
１５ａ  雄ネジ部
２  第２接合金物
２１  固定板部
２１ａ  雄ネジ部挿通孔
２２  せん断力受け板部
２２ａ  ピン挿通長孔
２２ｂ  位置決めピン嵌合部
３  第３接合金物
３ａ  雌ネジ孔
３ｂ  ピン挿通孔
３ｃ  ボルト挿通長孔
４  第４接合金物
４１  固定板部
４１ａ  小孔
４２  せん断力受け板部
４２ａ  ピン挿通長孔
４２ｂ  位置決めピン嵌合部
４２ｃ  中継部
４３  せん断力伝達部
５０  基礎パッキン
５１  アンカーボルト
５２  ナット
５３  ドリフトピン（固定ピン）
５４  六角ボルト
５５  丸鋼ナット
５６  ラグスクリューボルト
５７  ビス（固着具）
５８  座金
６  梁受け金物
７  プレート金物
ＢＦ  基礎
ＦＰ  ＣＬＴ床パネル
ＦＰ１  ネジ棒貫通孔
Ｐ１，Ｐ１’  ＣＬＴ壁パネル（木質系壁パネル）
Ｐ１ａ  棒状部用収容部
Ｐ１ｂ  ボックス部用収容部
Ｐ１ｃ  第２接合金物用収容部
Ｐ１ｄ  第３接合金物用収容部
Ｐ１ｅ  第４接合金物用収容部
Ｐ２，Ｐ２’  垂れ壁
Ｐ３  腰壁
ＵＰ  ＣＬＴ天井パネル
ＵＰ１  ネジ棒貫通孔
【図１】
2019119990.tif 000003
【図２】
2019119990.tif 000004
【図３】
2019119990.tif 000005
【図４】
2019119990.tif 000006
【図５】
2019119990.tif 000007
【図６】
2019119990.tif 000008
【図７】
2019119990.tif 000009
【図８】
2019119990.tif 000010
【図９】
2019119990.tif 000011
【図１０】
2019119990.tif 000012
【図１１】
2019119990.tif 000013
【図１２】
2019119990.tif 000014
【図１３】
2019119990.tif 000015
【図１４】
2019119990.tif 000016
【図１５】
2019119990.tif 000017
【図１６】
2019119990.tif 000018
【図１７】
2019119990.tif 000019
【図１８】
2019119990.tif 000020
【図１９】
2019119990.tif 000021
【図２０】
2019119990.tif 000022
【図２１】
2019119990.tif 000023
【図２２】
2019119990.tif 000024
【図２３】
2019119990.tif 000025
【図２４】
2019119990.tif 000026
【図２５】
2019119990.tif 000027
【図２６】
2019119990.tif 000028
【図２７】
2019119990.tif 000029
【図２８】
2019119990.tif 000030
【図２９】
2019119990.tif 000031
【図３０】
2019119990.tif 000032